(57)【要約】【課題】  寿命報知に対する消費電力を抑制可能な点灯装置および照明装置を提供する。【解決手段】  点灯装置１は、光源７を点灯する点灯回路２と、点灯回路２への給電状態を検出する給電検出手段４と、寿命報知をする報知手段３と、光源７の累積点灯時間を計時する計時手段５と、計時手段５が計時した累積点灯時間が所定値を経過しているときに、給電検出手段４が点灯回路２への給電の遮断を検出すると、点灯回路２の残存電力によって寿命報知をするように報知手段３を制御する制御手段６と、を具備している。【選択図】図１
2016134356.tif 000002
【特許請求の範囲】
【請求項１】
光源を点灯する点灯回路と；
この点灯回路への給電状態を検出する給電検出手段と；
寿命報知をする報知手段と；
前記光源の累積点灯時間を計時する計時手段と；
この計時手段が計時した前記累積点灯時間が所定値を経過しているときに、前記給電検出手段が前記点灯回路への給電の遮断を検出すると、前記点灯回路の残存電力によって寿命報知をするように前記報知手段を制御する制御手段と；
を具備していることを特徴とする点灯装置。
【請求項２】
前記光源は、複数個のＬＥＤからなり、前記報知手段は、前記ＬＥＤの一部を有してなり、前記制御手段は、前記ＬＥＤの一部が点灯または点滅するように前記報知手段を制御することを特徴とする請求項１記載の点灯装置。
【請求項３】
光源と；
この光源を点灯する請求項１または２記載の点灯装置と；
前記光源および前記点灯装置を配設している装置本体と；
を具備していることを特徴とする照明装置。
【発明の詳細な説明】
【技術分野】
【０００１】
本発明の実施形態は、寿命報知機能を有する点灯装置およびこの点灯装置を具備する照明装置に関する。
【背景技術】
【０００２】
照明装置には、当該照明装置または光源が寿命や寿命に近づいたときに、そのことを使用者に報知し、適切な時期に照明装置や光源の交換等をさせるものがある。これらの寿命は、例えば光源の累積点灯時間が所定時間に達したときとしている。そして、寿命の報知では、光源とは別の発光素子（報知用光源）を点灯させるものがある（例えば特許文献１参照。）。また、照明装置の光源自体の点滅等により寿命を報知しているものがある（例えば特許文献２参照。）。
【先行技術文献】
【特許文献】
【０００３】
【特許文献１】特開２０１３−２３２３０２号公報（第４頁、第１図）
【特許文献２】特開２００６−２３６６３６号公報（第５頁、第１図）
【発明の概要】
【発明が解決しようとする課題】
【０００４】
照明装置は、報知用光源や音声装置などの寿命報知手段を付加すると、部品点数が増加してコストアップするという欠点を有する。また、報知用光源や光源自体の点滅等による寿命報知は、その消費電力が寿命報知の期間に亘って費やされるので、大きな消費電力となるという欠点を有する。
【０００５】
本発明の実施形態は、寿命報知に対する消費電力を抑制可能な点灯装置および照明装置を提供することを目的とする。
【課題を解決するための手段】
【０００６】
本実施形態の点灯装置は、点灯回路、給電検出手段、報知手段、計時手段および制御手段を有して構成される。
【０００７】
点灯回路は、光源を点灯する。給電検出手段は、点灯回路への給電状態を検出する。報知手段は、寿命報知をする。計時手段は、光源の累積点灯時間を計時する。制御手段は、計時手段が計時した累積点灯時間が所定値を経過しているときであって、給電検出手段が点灯回路への給電の遮断を検出したときには、点灯回路の残存電力によって寿命報知をするように報知手段を制御する。
【発明の効果】
【０００８】
本実施形態の点灯装置によれば、点灯回路への給電が遮断されたときに、点灯回路の残存電力によって寿命報知がされることにより、簡素な構成に形成できるとともに、寿命報知における消費電力を低減できることが期待できる。
【図面の簡単な説明】
【０００９】
【図１】本発明の第１の実施形態を示す点灯装置の概略回路図である。
【図２】同上、照明装置の概略断面図である。
【図３】同上、消灯後の照度および残存電力の変化を示す説明図である。
【図４】本発明の第２の実施形態を示す点灯装置の概略回路図である。
【発明を実施するための形態】
【００１０】
以下、本発明の一実施形態について、図面を参照して説明する。まず、本発明の第１の実施形態について説明する。
【００１１】
本実施形態の点灯装置１は、図１に示すように、点灯回路２、報知手段３、給電検出手段としての電圧検出回路４、計時手段としてのタイマ回路５および制御手段としての制御回路６を有して構成されている。点灯装置１は、照明装置に搭載される光源７を点灯する。光源７は、複数個のＬＥＤ８からなっている。点灯装置１は、壁スイッチ等の電源スイッチ９を介して交流電源Ｖｓに接続され、交流電源Ｖｓからの給電により動作し、交流電力を直流電力に変換して光源７に供給する。
【００１２】
点灯回路２は、本実施形態では、フィルター回路１０、整流回路１１、電源回路１２および報知回路１３を有して形成されている。点灯回路２は、電源スイッチ９がオンされると、交流電源Ｖｓから給電される。
【００１３】
フィルター回路１０は、点灯回路２に発生するノイズが交流電源Ｖｓ側に伝播するのを阻止する。整流回路１１は、例えば整流器およびコンデンサを有して形成され、交流電源Ｖｓの交流電圧を全波整流する。
【００１４】
電源回路１２は、整流回路１１から出力された整流電圧を所定の直流電圧に変換するものであり、例えば降圧チョッパ回路に形成されている。すなわち、電源回路１２は、整流回路１１の出力端間に接続されたインダクタＬ１および電界効果トランジスタＱ１の直列回路と、電界効果トランジスタＱ１に並列接続されたダイオードＤ１および平滑用コンデンサＣ１の直列回路からなっている。そして、制御回路６により、電界効果トランジスタＱ１がオンオフ制御されることにより、平滑用コンデンサＣ１の両端間に所定の直流電圧が発生する。この直流電圧が光源７に供給される。平滑用コンデンサＣ１は、光源７に電力を供給する電源となっている。
【００１５】
報知回路１３は、報知手段４の一部を構成するものであり、本実施形態では、スイッチとして機能する電界効果トランジスタＱ２により形成されている。電界効果トランジスタＱ２は、制御回路６によりオンオフ制御される。そして、電界効果トランジスタＱ２は、通常時にはオンにされ、光源７等の寿命報知をするときにオンオフ制御される。
【００１６】
報知手段３は、報知回路１３および光源７により構成されている。光源７は、複数個のＬＥＤ８が直列接続されてなり、報知回路１３を介して平滑用コンデンサＣ１の両端間に接続されている。報知手段３は、本実施形態では、電界効果トランジスタＱ２がオンオフ制御されて、光源７が点滅することにより、光源７等の寿命報知をする。
【００１７】
電圧検出回路４は、例えば抵抗Ｒ１および抵抗Ｒ２の直列回路からなり、フィルター回路１０の前段側（入力側）に設けられている。そして、抵抗Ｒ２の両端間に発生する電圧により、点灯回路２への交流電源Ｖｓからの給電状態を検出する。すなわち、電源スイッチ９がオンされると、点灯回路２への給電を検出し、電源スイッチ９がオフされると、点灯回路２への給電の遮断を検出する。
【００１８】
なお、本実施形態の給電検出手段は、電圧検出回路４に限定されないものであり、点灯回路２への入力電流を検出する電流検出回路や電源スイッチ９のオンオフ（開閉）を検出する開閉検出回路など、点灯回路２への給電の有無を検出するものであればよい。
【００１９】
タイマ回路５は、光源７の累積点灯時間を計時する。この計時は、例えば電圧検出回路４が点灯回路２への給電を検出しているとき、または電源回路１２の電界効果トランジスタＱ１がオンオフ制御されているときに行っている。計時された累積点灯時間は、不揮発性の記憶部１４に上書きされて記憶されている。記憶部１４は、タイマ回路４とともに計時手段を構成している。
【００２０】
制御回路６は、制御部１５および電源部１６を有してなり、タイマ回路５および記憶部１４を内蔵している。電源部１６は、タイマ回路５や制御部１５等に動作電源を供給するものであり、点灯回路２の給電時に交流電源Ｖｓから直流電源を生成する。
【００２１】
制御部１５は、マイコンを有してなり、電源回路１２の電界効果トランジスタＱ１および報知回路１３の電界効果トランジスタＱ２をオンオフ制御する。制御部１５は、電圧検出回路４の検出結果を常時入力している。そして、電圧検出回路４が点灯回路２への給電を検出すると、すなわち電源スイッチ９のオン（投入）を検出すると、報知回路１３の電界効果トランジスタＱ２をオンに制御し、電源回路１２の電界効果トランジスタＱ１を所定のスイッチング周波数でオンオフ制御する。これにより、平滑用コンデンサＣ１の両端間に所定の直流電圧が発生して、当該直流電圧が光源７に印加される。光源７としてのＬＥＤ８に所定の電流が流れて、ＬＥＤ８から可視光が放射される。そして、電圧検出回路４が点灯回路２への給電の遮断を検出すると、すなわち電源スイッチ９のオフを検出すると、電源回路１２の電界効果トランジスタＱ１のオンオフ制御を停止する。
【００２２】
また、制御部１５は、常時、記憶部１４から光源７の累積点灯時間を読み出し、この累積点灯時間にタイマ回路５が計時する点灯時間を累積して記憶部１４に記憶させている。そして、光源７の累積点灯時間が所定値を経過しているか否かを判断している。ここで、所定値とは、例えば照明装置の製造者が光源７や点灯部品の寿命特性データを基に任意に設定した定格寿命時間である。ＬＥＤ８の所定値（定格寿命時間）は、例えば４万時間である。
【００２３】
そして、制御部１５は、電圧検出回路４が点灯回路２への給電の遮断を検出したときに、すなわち電源スイッチ９のオフを検出したときに、光源７の累積点灯時間が所定値を経過していると、報知回路１３の電界効果トランジスタＱ２を所定時間に亘ってオンオフ制御するように形成されている。電源スイッチ９がオフされると、交流電源Ｖｓから点灯回路２に給電されなくなるが、少なくとも電源回路１２の平滑用コンデンサＣ１の両端間には、電力が残存している。電界効果トランジスタＱ２が所定時間に亘ってオンオフ制御されると、平滑用コンデンサＣ１の残存電力によって光源７に断続的に電流が流れる。これにより、ＬＥＤ８が点滅する。ここで、所定時間は、例えば点灯回路２に残存電力がなくなるまでの期間である。
【００２４】
そして、本実施形態の点灯装置１は、例えば、図２に示す照明装置２１に搭載されている。照明装置２１は、装置本体２２、発光モジュール２３およびカバー２４を備えている。装置本体２２は、造営物や取付部材に取り付けるための取付部２５，２５を有する箱状に形成され、内部に点灯装置１を配設している。発光モジュール２３は、装置本体２２の前面側に配設されている。発光モジュール２３は、基板２６およびこの基板２６の一面側に実装されたＬＥＤ８を有して形成されている。カバー２４は、例えば透光性の合成樹脂からなり、箱状に形成され、発光モジュール２３を内包するようにして装置本体２２に取り付けられている。
【００２５】
照明装置２１は、点灯装置１により発光モジュール２３のＬＥＤ８（光源７）が点灯される。ＬＥＤ８から放射された可視光は、カバー２４を透過して照明空間を照明する。
【００２６】
次に、本発明の第１の実施形態の作用について述べる。
【００２７】
点灯装置１は、電源スイッチ９がオンされると、交流電源Ｖｓから点灯回路２に給電され、電源スイッチ９がオフされると、交流電源Ｖｓから給電されなくなる。この点灯回路２への給電の有無は、電圧検出回路４により検出される。
【００２８】
制御回路６の制御部１５は、点灯回路２への給電が有ると、報知回路１３の電界効果トランジスタＱ２をオンに制御するとともに、電源回路１２の電界効果トランジスタＱ１を所定のスイッチング周波数でオンオフ制御する。これにより、電源回路１２の平滑用コンデンサＣ１の両端間に所定の直流電圧が発生する。この直流電圧は、電界効果トランジスタＱ２を介してＬＥＤ８の両端間に印加される。ＬＥＤ８には、所定の電流が流れる。ＬＥＤ８は、点灯して可視光を放射する。
【００２９】
また、制御部１５は、点灯回路２への給電が遮断されると、電源回路１２の電界効果トランジスタＱ１のオンオフ制御を停止するとともに、報知回路１３の電界効果トランジスタＱ２をオフする。これにより、ＬＥＤ８は、消灯する。
【００３０】
そして、タイマ回路５は、制御部１５が電源回路１２の電界効果トランジスタＱ１をオンオフ制御している動作期間を計時する。すなわち、ＬＥＤ８の点灯時間を計時する。タイマ回路５により計時された点灯時間は、制御部１５により累積されて記憶部１４に記憶される。そして、制御部１５は、記憶部１４に記憶された累積点灯時間が所定値例えば４万時間を経過しているか否かを判断する。
【００３１】
制御部１５は、ＬＥＤ８の累積点灯時間が所定値を経過していないときに、電源スイッチ９がオフされて、点灯回路２への給電が遮断すると、電源回路１２の電界効果トランジスタＱ１のオンオフ制御を停止するとともに、報知回路１３の電界効果トランジスタＱ２をオフして、ＬＥＤ８を消灯させる。
【００３２】
そして、制御部１５は、ＬＥＤ８の累積点灯時間が所定値を経過しているときに、点灯回路２への給電が遮断すると、電源回路１２の電界効果トランジスタＱ１のオンオフ制御を停止するとともに、報知回路１３の電界効果トランジスタＱ２を所定時間例えば３秒に亘ってオンオフ制御する。
【００３３】
電源回路１２の平滑用コンデンサＣ１は、ＬＥＤ８に電力を供給する直流電源であり、電界効果トランジスタＱ１のオンオフ制御が停止された直後には、その両端間に所定の直流電圧が残存しており、所定の電力を残存している。この残存電力が電界効果トランジスタＱ２を介してＬＥＤ８に供給される。
【００３４】
制御部１５は、例えば５Ｈｚのスイッチング周波数で電界効果トランジスタＱ２をオンオフ制御する。すなわち、電界効果トランジスタＱ２は、例えば０．２秒毎にオンオフする。ここで、制御部１５は、点灯回路２への給電の遮断後、電界効果トランジスタＱ２のオンオフ制御をオン制御またはオフ制御のいずれで開始してもよい。また、スイッチング周波数は、５Ｈｚに限らず、所望に設定すればよい。
【００３５】
電界効果トランジスタＱ２がオンしているときに、平滑用コンデンサＣ１の両端間電圧がＬＥＤ８に印加される。ＬＥＤ８に平滑用コンデンサＣ１からの電流が流れる。ＬＥＤ８は、点灯して可視光を放射する。そして、平滑用コンデンサＣ１からＬＥＤ８に電流が流れることにより、平滑用コンデンサＣ１の残存電力が低下する。
【００３６】
平滑用コンデンサＣ１の残存電力は、図３（ｂ）に示すように、ＬＥＤ８が点灯する毎に低下していく。そして、所定時間（例えば３秒）内には、平滑用コンデンサＣ１の残存電力は、ほぼ零となる。そして、平滑用コンデンサＣ１の残存電力が低下する毎にＬＥＤ８に流れる電流が低下していく。これにより、図３（ａ）に示すように、ＬＥＤ８から放射される光量が減少して、ＬＥＤ８の放射光により照明される照明空間の照度が減少していく。ＬＥＤ８は、残存電力がほぼ零になると消灯する。
【００３７】
そして、電源スイッチ９をオフ操作した者に対して、ＬＥＤ８の点滅および照度の漸次減少が報知される。これにより、電源スイッチ９の操作者は、例えば光源７としてのＬＥＤ８が定格寿命を経過していることを認知し、光源７または照明装置２１の交換等に対処できる。
【００３８】
こうして、制御部１５は、ＬＥＤ８の累積点灯時間が所定値（例えば４万時間）を経過しているときに、電源スイッチ９がオフされて、電圧検出回路４が交流電源Ｖｓから点灯回路２への給電の遮断を検出すると、電源回路１２の平滑用コンデンサＣ１の残存電力によって例えばＬＥＤ８の寿命報知をするように報知回路１３の電界効果トランジスタＱ２をオンオフ制御するものである。ここで、平滑用コンデンサＣ１は、残存電力が消費されて低下しているときに、電源回路１２の残存エネルギーや整流回路１１のコンデンサの残存電荷などが供給される。すなわち、ＬＥＤ８等の寿命報知は、電源スイッチ９がオフされているときの点灯回路２の残存電力によって行われる。そして、交流電源Ｖｓから点灯回路２に給電されないことにより、ＬＥＤ８等の寿命報知に対する消費電力の無駄が防止される。
【００３９】
本実施形態の点灯装置１および照明装置２１によれば、操作者によって電源スイッチ９がオフされて、交流電源Ｖｓから点灯回路１２への給電が遮断されたときに、ＬＥＤ８が点滅してＬＥＤ８等の寿命報知がされることにより、操作者に寿命告知を迅速にすることができるとともに、電源スイッチ９のオフ後の点灯回路２の残存電力によって寿命報知がされることにより、寿命報知における消費電力を抑制することができるという効果を有する。
【００４０】
なお、本実施形態において、寿命報知をＬＥＤ８の点滅により行ったが、これに限らず、例えばＬＥＤ８を交互に全光点灯および調光点灯させてもよい。
【００４１】
次に、本発明の第２の実施形態について述べる
【００４２】
本実施形態の点灯装置３１は、図４に示すように構成される。なお、図４において、図１と同一部分および同一部分に相当する部分には同一符号を付して説明は省略する。
【００４３】
点灯装置３１は、図１に示す点灯装置１において、報知手段３が報知手段３２に構成されたものである。残余の構成は、点灯装置１と同一となっている。
【００４４】
報知手段３２は、報知光源３３および報知回路３４を有して形成されている。報知光源３３は、光源７の一部、すなわち直列接続された複数個のＬＥＤ８の一部により形成されている。ここで、報知光源３３のＬＥＤ８は、１個であってもよく、複数個であってもよい。
【００４５】
報知回路３４は、電界効果トランジスタＱ２および切換回路３５を有して形成されている。切換回路３５は、電界効果トランジスタＱ２と、光源７および報知光源３３との間に介在している。切換回路３５は、不図示の切換スイッチまたは半導体スイッチなどを有して形成されている。制御回路６の制御部１５は、切換回路３５を制御して、点灯回路２を光源７または報知光源３３のいずれか一方に接続させる。本実施形態では、制御部１５が切換回路３５を制御しないと、点灯回路２が光源７に接続され、制御部１５が切換回路３５を制御していると、点灯回路２が報知光源３３に接続される。
【００４６】
次に、本発明の第２の実施形態の作用について述べる。
【００４７】
制御部１５は、電源スイッチ９がオンされ、電圧検出回路４が交流電源Ｖｓから点灯回路２への給電を検出しているときには、報知回路３４の電界効果トランジスタＱ２をオンに制御するとともに、切換回路３５を制御しない。これにより、光源７の両端間は、電界効果トランジスタＱ２および切換回路３５を介して平滑用コンデンサＣ１の両端間に接続される。報知光源３３の両端間は、平滑用コンデンサＣ１の両端間に接続されない。
【００４８】
そして、制御部１５は、光源７の累積点灯時間が所定値（例えば４万時間）を経過しているときに、電源スイッチ９がオフされ、電圧検出回路４が交流電源Ｖｓから点灯回路２への給電の遮断を検出すると、電源回路１２の電界効果トランジスタＱ１のオンオフ制御を停止するとともに、報知回路３４の切換回路３５を制御する。これにより、報知光源３３の両端間は、電界効果トランジスタＱ２および切換回路３５を介して平滑用コンデンサＣ１の両端間に接続され、光源７の両端間は、平滑用コンデンサＣ１の両端間に接続されない。
【００４９】
そして、制御部１５は、所定期間例えば５秒に亘り、例えば５Ｈｚのスイッチング周波数で電界効果トランジスタＱ２をオンオフ制御する。すなわち、電界効果トランジスタＱ２は、例えば０．２秒毎にオンオフする。ここで、制御部１５は、電界効果トランジスタＱ２のオンオフ制御をオン制御またはオフ制御のいずれで開始してもよい。また、スイッチング周波数は、５Ｈｚに限らず、所望に設定すればよい。
【００５０】
電界効果トランジスタＱ２がオンしているときに、平滑用コンデンサＣ１の両端間電圧が報知光源３３に印加される。報知光源３３は、平滑用コンデンサＣ１からの電流が流れて点灯し、可視光を放射する。電界効果トランジスタＱ２がオフすると、報知光源３３は、平滑用コンデンサＣ１からの電流が流れなくなって消灯する。こうして、報知光源３３は、電界効果トランジスタＱ２のオンオフ制御により、例えば０．２秒毎に点滅する。
【００５１】
そして、平滑用コンデンサＣ１の残存電力は、報知光源３３の点滅に伴って低下していく。ここで、報知光源３３は、光源７である複数個のＬＥＤ８の一部であるので、点滅による消費電力が光源７を点滅させる場合よりも小さい。したがって、報知光源３３は、光源７を点滅させる場合に対して、平滑用コンデンサＣ１の残存電力により点滅する期間が長くなるとともに、照明空間に放射する光量の低下が緩やかになる。なお、平滑用コンデンサＣ１の残存電力は、電界効果トランジスタＱ２がオンオフ制御される所定期間（例えば５秒）内にほぼ零となる。
【００５２】
電源スイッチ９をオフ操作した操作者は、光源７を消灯させたにも係わらず、報知光源３３が点滅するとともに、報知光源３３による照度が漸次減少していくことの視認により、異常を認識する。これにより、電源スイッチ９の操作者は、光源７としてのＬＥＤ８や照明装置２１が定格寿命時間を経過していることを迅速に認知し、光源７や照明装置２１の迅速な交換等に対処できるようになる。
【００５３】
なお、報知光源３３は、光源７である複数個のＬＥＤ８の一部であり、点灯による消費電力が小さいので、制御部１５は、電界効果トランジスタＱ２を所定期間に亘ってオンに制御し、報知光源３３を点灯させてもよい。電源スイッチ９の操作者は、光源７を消灯させたにも係わらず、報知光源３３が点灯していることにより異常を認識し、光源７としてのＬＥＤ８や照明装置２１が定格寿命時間を経過していることを認知することが可能である。
【００５４】
本実施形態の点灯装置３１によれば、報知光源３３は、光源７である複数個のＬＥＤ８の一部であるので、別に報知光源を設けることを要しなくすることができるとともに、点灯回路２の残存電力によって、報知光源３３の点滅または点灯による報知を長く行えるという効果を有する。
【００５５】
なお、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５６】
１，３１…点灯装置、  ２…点灯回路、  ３，３２…報知手段、  ４…給電検出手段としての電圧検出回路、  ５…計時手段としてのタイマ回路、  ６…制御手段としての制御回路、  ７…光源、  ８…光源としてのＬＥＤ、  ２１…照明装置、  ２２…装置本体
【図１】
2016134356.tif 000003
【図２】
2016134356.tif 000004
【図３】
2016134356.tif 000005
【図４】
2016134356.tif 000006